(57)【要約】      （修正有）【課題】故人の写真や葬儀用の供花等の配置のために必要となる床面積を小さくできるとともに、取扱い易い葬儀用スタンドを提供する。【解決手段】床面に載置されるベースフレーム１２と、ベースフレームに支持されて立設する支柱部３０と、支柱部の中途に連結され、額縁体を支持する額縁体支持部２０と、額縁体支持部の下方に配置されて支柱部に着脱自在に連結し、供花を配置させる供花配置部６０とを備える。額縁体支持部は、額縁体を背後から支持するフレーム体２２と、フレーム体を支柱部に連結させつつ支持するフレーム体支持部と、フレーム体の下端から前方に突出する前方突出部材を有して額縁体の下端を支持する下端支持部２８とを含む。供花配置部は、枠体であって、その枠面を略水平にした状態で支柱部の前方に配置され、供花が盛られた容器体をその枠内に嵌合状に支持する支持枠体８５を含み、供花配置部の下方に棺が配置される。【選択図】図１
0003173880.tif 000002
【実用新案登録請求の範囲】
【請求項１】
葬儀の際に棺の背後に配置される葬儀用スタンドであり、
床面に載置されるベースフレームと、
下端側が前記ベースフレームに着脱自在に連結し、前記ベースフレームに支持されて立設する支柱部と、
前記支柱部の中途に連結され、額縁体を支持する額縁体支持部と、
前記額縁体支持部の下方に配置されて前記支柱部に着脱自在に連結し、供花を配置させる供花配置部と、
前記供花配置部を前記支柱部に着脱自在に連結させる着脱連結部とを備え、
前記額縁体支持部は、
前記額縁体を背後から支持するフレーム体と、
前記フレーム体を前記支柱部に連結させつつ支持するフレーム体支持部と、
前記フレーム体の下端から前方に突出する前方突出部材を有して前記額縁体の下端を支持する下端支持部とを含み、
前記供花配置部は、
枠体であって、その枠面を略水平にした状態で前記支柱部の前方に配置され、供花が盛られた容器体をその枠内に嵌合状に支持する支持枠体を含み、
前記供花配置部の下方に前記棺が配置されることを特徴とする葬儀用スタンド。
【請求項２】
前記支柱部は、前記ベースフレームに連結する長尺筒状の第１支柱部材と、前記第１支柱部材にスライド自在に係合して前記支柱部の全長長さを縦方向に伸縮させる長尺筒状の第２支柱部材と、前記第１支柱部材の上端部に配置され、前記第１支柱部材と前記第２支柱部材との任意の伸縮係合位置で前記第１支柱部材と前記第２支柱部材とを固定させる固定部材と、前記第２支柱部材の上端寄りに設けられ、葬儀用掛軸の掛紐を係止するフック部材とを備えることを特徴とする請求項１記載の葬儀用スタンド。
【請求項３】
前記前方突出部材は、前端が上方に折曲して側面視略Ｌ字状の板部材からなり、前記下端支持部は、前記前方突出部材を保持する筒状の保持部材であって、その筒方向を前後方向に向けた状態で前記フレーム体の背面側に設けられ、前記前方突出部材をその中空部に挿入させつつ前記筒方向にスライド自在に保持する筒状保持部材を含むことを特徴とする請求項１又は２記載の葬儀用スタンド。
【請求項４】
前記フレーム体支持部は、前記フレーム体の下端部を支持する第１支持部と、前記フレーム体の上端部を支持する第２支持部とを備え、
前記第１支持部は、前記支柱部に沿ってスライド自在に係合する筒状の第１筒体と、前記第１筒体に設けられて前記第１筒体を前記支柱部に固定する第１筒体固定部材と、前記第１筒体と前記フレーム体の下端部とを連結する棒状のリンクアームであって、基端部が前記第１筒体に設けられた第１軸支部材で軸支されて回動自在に前記第１筒体に連結するとともに、先端部が前記下端部に設けられた第２軸支部材で軸示されて回動自在に前記下端部に連結する第１リンクアームとを含み、前記第２支持部は、前記第１筒体の上方に配置されて、前記支柱部に沿ってスライド自在に係合する筒状の第２筒体と、前記第２筒体に設けられて前記第２筒体を前記支柱部に固定する第２筒体固定部材と、前記第１支持部材より短い長さからなり、前記第２筒体と前記フレーム体の上端部とを連結するリンクアームであって、一端部が前記第２筒体に設けられた第３軸支部材で軸示されて回動自在に前記第２筒体に連結するとともに他端部が前記上端部に連結される第２リンクアームとを含むことを特徴とする請求項１〜３のいずれかに記載の葬儀用スタンド。
【請求項５】
前記フレーム体は、正面視で略工字状からなることを特徴とする請求項１〜４のいずれかに記載の葬儀用スタンド。
【請求項６】
前記着脱連結部は、前記支柱部の長手方向の中途から前方に突出するアーム部材と、前記支持枠体から後方に突出し、前記アーム部材の長さ方向にスライド自在に係合しつつ前記アーム部材と連結する連結部材とを含むことを特徴とする請求項１〜５のいずれかに記載の葬儀用スタンド。
【請求項７】
前記支持枠体は矩形状からなり、その枠辺のうちの一辺を前記支柱部に対向する対向枠辺とするとともに、前記対向枠辺の中央部から前記連結部材を突出させることを特徴とする請求項６記載の葬儀用スタンド。
【請求項８】
前記供花配置部に着脱自在に連結され、供花を配置させるサブ供花配置部を備え、前記供花配置部は、筒状の部材であり、前記対向枠辺に直交する枠辺のうち一方又は両方に並列配置されつつ前記枠辺に連結される筒状部材を含み、前記サブ供花配置部は、
前記筒状部材にスライド自在に係合しつつ前記筒状部材に着脱自在に連結するスライド部材と、前記スライド部材と一体に形成されて上方に延伸し、上端に箱体を支持する略Ｌ字状又は直線状のロッド部材とを含み、前記スライド部材を前記筒状部材に連結させた状態で、前記箱体は前記額縁体支持部の側方近傍に配置されることを特徴とする請求項７に記載の葬儀用スタンド。
【考案の詳細な説明】
【技術分野】
【０００１】
本考案は、葬儀の際に棺の背後に配置され供花や故人の写真等を配置させることができる葬儀用スタンドに関し、一般家庭においても用いることが可能な葬儀用スタンドに関する。
【背景技術】
【０００２】
従来、葬儀場を利用した通夜や葬式等の葬儀がよく執り行われる。しかし、特に昨今の長引く不況の折、残された者には、このような葬儀場の利用に必要な費用が負担となる場合もある。また、核家族化の進展に伴って葬儀への参列者も減少し、広い葬儀場が不要とされる場合もある。
【０００３】
そのため、一般の一戸建て住宅、マンション或いはアパート等の中で葬儀を執り行いたいというニーズも高まっている。このようなニーズに答えるため、一般の住宅やマンション等においても容易に用いることができ、供花や個人の写真等をその上に配置可能な仮設の祭壇等に関する様々な提案がなされている。（例えば特許文献１）。
【先行技術文献】
【特許文献】
【０００４】
【特許文献１】特開平１０−４３０４０号公報
【考案の概要】
【考案が解決しようとする課題】
【０００５】
特許文献１によれば、上端が階段状となり、階段水平部と階段垂直部とを有する左右一対の側板体の階段水平部間に架設板体を架設する組立式置き台枠であって、ハニカム構造の紙製段ボールからなり、しかも組立てることができ、仮設板体上に供花や故人の写真が入った額縁等を載置可能な置き台枠が開示されている。
【０００６】
このように、特許文献１の組立式置き台枠によれば、紙製段ボール製でしかも組立可能な構成であるため、軽量で取り扱い易いという利点はあるものの、階段水平部間に架設板体を架設する構成であるため、例えば当該置き台枠を設置するために、例えば仮設板体の幅に階段の数を掛けた奥行きが必要となり、さらに当該置き台枠の手前に棺を設置すると当該置き台枠及び棺を設置するための設置スペースを広く取るという問題があった。したがって、特許文献１の組立式置き台枠によれば、広い間取りの部屋を必要とされる等、一般の一戸建て住宅やマンションの中で用いることが困難になる場合が生じる虞があった。
【０００７】
そこで、本考案は、上記従来の問題に鑑みてなされたものであり、その目的は、故人の写真や葬儀用の供花等の配置のために必要となる床面積を小さくできるとともに、取扱い易い葬儀用スタンドを提供することにある。
【課題を解決するための手段】
【０００８】
請求項１の考案は、葬儀の際に棺の背後に配置される葬儀用スタンドであり、床面に載置されるベースフレームと、下端側が前記ベースフレームに着脱自在に連結し、前記ベースフレームに支持されて立設する支柱部と、前記支柱部の中途に連結され、額縁体を支持する額縁体支持部と、前記額縁体支持部の下方に配置されて前記支柱部に着脱自在に連結し、供花を配置させる供花配置部と、前記供花配置部を前記支柱部に着脱自在に連結させる着脱連結部とを備え、前記額縁体支持部は、前記額縁体を背後から支持するフレーム体と、前記フレーム体を前記支柱部に連結させつつ支持するフレーム体支持部と、前記フレーム体の下端から前方に突出する前方突出部材を有して前記額縁体の下端を支持する下端支持部とを含み、前記供花配置部は、枠体であって、その枠面を略水平にした状態で前記支柱部の前方に配置され、供花が盛られた容器体をその枠内に嵌合状に支持する支持枠体を含み、前記供花配置部の下方に前記棺が配置される、葬儀用スタンドである。
【０００９】
請求項２の考案は、請求項１記載の葬儀用スタンドにおいて、前記支柱部は、前記ベースフレームに連結する長尺筒状の第１支柱部材と、前記第１支柱部材にスライド自在に係合して前記支柱部の全長長さを縦方向に伸縮させる長尺筒状の第２支柱部材と、前記第１支柱部材の上端部に配置され、前記第１支柱部材と前記第２支柱部材との任意の伸縮係合位置で前記第１支柱部材と前記第２支柱部材とを固定させる固定部材と、前記第２支柱部材の上端寄りに設けられ、葬儀用掛軸の掛紐を係止するフック部材とを備えることを特徴とする。
【００１０】
請求項３の考案は、請求項１又は２記載の葬儀用スタンドにおいて、前記前方突出部材は、前端が上方に折曲して側面視略Ｌ字状の板部材からなり、前記下端支持部は、前記前方突出部材を保持する筒状の保持部材であって、その筒方向を前後方向に向けた状態で前記フレーム体の背面側に設けられ、前記前方突出部材をその中空部に挿入させつつ前記筒方向にスライド自在に保持する筒状保持部材を含むことを特徴とする。
【００１１】
請求項４の考案は、請求項１〜３のいずれかに記載の葬儀用スタンドにおいて、前記フレーム体支持部は、前記フレーム体の下端部を支持する第１支持部と、前記フレーム体の上端部を支持する第２支持部とを備え、前記第１支持部は、前記支柱部に沿ってスライド自在に係合する筒状の第１筒体と、前記第１筒体に設けられて前記第１筒体を前記支柱部に固定する第１筒体固定部材と、前記第１筒体と前記フレーム体の下端部とを連結する棒状のリンクアームであって、基端部が前記第１筒体に設けられた第１軸支部材で軸支されて回動自在に前記第１筒体に連結するとともに、先端部が前記下端部に設けられた第２軸支部材で軸示されて回動自在に前記下端部に連結する第１リンクアームとを含み、前記第２支持部は、前記第１筒体の上方に配置されて、前記支柱部に沿ってスライド自在に係合する筒状の第２筒体と、前記第２筒体に設けられて前記第２筒体を前記支柱部に固定する第２筒体固定部材と、前記第１支持部材より短い長さからなり、前記第２筒体と前記フレーム体の上端部とを連結するリンクアームであって、一端部が前記第２筒体に設けられた第３軸支部材で軸示されて回動自在に前記第２筒体に連結するとともに他端部が前記上端部に連結される第２リンクアームとを含むことを特徴とする。
【００１２】
請求項５の考案は、請求項１〜４のいずれかに記載の葬儀用スタンドにおいて、前記フレーム体は、正面視で略工字状からなることを特徴とする。
【００１３】
請求項６の考案は、請求項１〜５のいずれかに記載の葬儀用スタンドにおいて、前記着脱連結部は、前記支柱部の長手方向の中途から前方に突出するアーム部材と、前記支持枠体から後方に突出し、前記アーム部材の長さ方向にスライド自在に係合しつつ前記アーム部材と連結する連結部材とを含むことを特徴とする。
【００１４】
請求項７の考案は、請求項６記載の葬儀用スタンドにおいて、前記支持枠体は矩形状からなり、その枠辺のうちの一辺を前記支柱部に対向する対向枠辺とするとともに、前記対向枠辺の中央部から前記連結部材を突出させることを特徴とする。
【００１５】
請求項８の考案は、請求項７記載の葬儀用スタンドにおいて、前記供花配置部に着脱自在に連結され、供花を配置させるサブ供花配置部を備え、前記供花配置部は、筒状の部材であり、前記対向枠辺に直交する枠辺のうち一方又は両方に並列配置されつつ前記枠辺に連結される筒状部材を含み、前記サブ供花配置部は、前記筒状部材にスライド自在に係合しつつ前記筒状部材に着脱自在に連結するスライド部材と、前記スライド部材と一体に形成されて上方に延伸し、上端に箱体を支持する略Ｌ字状又は直線状のロッド部材とを含み、前記スライド部材を前記筒状部材に連結させた状態で、前記箱体は前記額縁体支持部の側方近傍に配置されることを特徴とする。
【考案の効果】
【００１６】
本考案によれば、葬儀の際に棺の背後に配置される葬儀用スタンドであり、床面に載置されるベースフレームと、下端側が前記ベースフレームに着脱自在に連結し、前記ベースフレームに支持されて立設する支柱部と、前記支柱部の中途に連結され、額縁体を支持する額縁体支持部と、前記額縁体支持部の下方に配置されて前記支柱部に着脱自在に連結し、供花を配置させる供花配置部と、前記供花配置部を前記支柱部に着脱自在に連結させる着脱連結部とを備え、前記額縁体支持部は、前記額縁体を背後から支持するフレーム体と、前記フレーム体を前記支柱部に連結させつつ支持するフレーム体支持部と、前記フレーム体の下端から前方に突出する前方突出部材を有して前記額縁体の下端を支持する下端支持部とを含み、前記供花配置部は、枠体であって、その枠面を略水平にした状態で前記支柱部の前方に配置され、供花が盛られた容器体をその枠内に嵌合状に支持する支持枠体を含み、前記供花配置部の下方に前記棺が配置される構成であるから、例えば故人の写真が入った額縁体を額縁体支持部に配置し、供花が盛られた箱等の容器体を供花配置部に配置すれば、棺の上方空間を活用してこれらの写真や供花を配置できるので、故人の写真や葬儀用の供花等の配置のために必要な床面積を小さくできるとともに、例えば運搬の際には、ベースフレーム、支柱部及び供花配置部に分解すれば運搬も行い易くなるため、取扱い易い葬儀用スタンドを提供できる。
【００１７】
また、前記支柱部は、前記ベースフレームに連結する長尺筒状の第１支柱部材と、前記第１支柱部材にスライド自在に係合して前記支柱部の全長長さを縦方向に伸縮させる長尺筒状の第２支柱部材と、前記第１支柱部材の上端部に配置され、前記第１支柱部材と前記第２支柱部材との任意の伸縮係合位置で前記第１支柱部材と前記第２支柱部材とを固定させる固定部材と、前記第２支柱部材の上端寄りに設けられ、葬儀用掛軸の掛紐を係止するフック部材とを備える構成であるから、例えば葬儀用掛軸の長さ等の必要に応じて第２支柱部材によって支柱部の全長長さを調整して葬儀用掛軸をフック部材に吊支できるので、葬儀用掛軸を吊支するため別のスタンド等を配置させることもないため、床面に占める配置面積を広げることなく葬儀用掛軸を配置できる。
【００１８】
また、前記前方突出部材は、前端が上方に折曲して側面視略Ｌ字状の板部材からなり、前記下端支持部は、前記前方突出部材を保持する筒状の保持部材であって、その筒方向を前後方向に向けた状態で前記フレーム体の背面側に設けられ、前記前方突出部材をその中空部に挿入させつつ筒方向にスライド自在に保持する筒状保持部材を含む構成であるから、例えば額縁体の厚み等の必要に応じて前方突出部材をスライドさせることによりフレーム体の下端部からの突出長を調整できるので、葬儀用スタンドの利便性を向上できる。
【００１９】
また、前記フレーム体支持部は、前記フレーム体の下端部を支持する第１支持部と、前記フレーム体の上端部を支持する第２支持部とを備え、前記第１支持部は、前記支柱部に沿ってスライド自在に係合する筒状の第１筒体と、前記第１筒体に設けられて前記第１筒体を前記支柱部に固定する第１筒体固定部材と、前記第１筒体と前記フレーム体の下端部とを連結する棒状のリンクアームであって、基端部が前記第１筒体に設けられた第１軸支部材で軸支されて回動自在に前記第１筒体に連結するとともに、先端部が前記下端部に設けられた第２軸支部材で軸示されて回動自在に前記下端部に連結する第１リンクアームとを含み、前記第２支持部は、前記第１筒体の上方に配置されて、前記支柱部に沿ってスライド自在に係合する筒状の第２筒体と、前記第２筒体に設けられて前記第２筒体を前記支柱部に固定する第２筒体固定部材と、前記第１支持部材より短い長さからなり、前記第２筒体と前記フレーム体の上端部とを連結するリンクアームであって、一端部が前記第２筒体に設けられた第３軸支部材で軸示されて回動自在に第２筒体に連結するとともに他端部が前記上端部に連結される第２リンクアームとを含む構成であるから、例えば第２筒体を所定位置に固定し、第１筒体をスライドさせることにより第１リンクアーム及び第２リンクアームが回動してフレーム体の支柱部に対する傾斜角度を調整することができる。従って、例えば第１筒体を下方にスライドさせて、フレーム体を支柱部に略平行で密着状に配置させれば運搬の際の取扱いが容易となる。また、例えば故人の写真が見え易い角度になるように、第１筒体を上方にスライドさせフレーム体を支柱部に対して傾斜させることができる等、葬儀用スタンドの利便性を更に向上できる。
【００２０】
また、前記フレーム体は、正面視で略工字状からなる構成であるから、フレーム体を簡単な形状で実現できるので、葬儀用スタンドのコスト低減を図ることができる。
【００２１】
また、前記着脱連結部は、前記支柱部の長手方向の中途から前方に突出するアーム部材と、前記支持枠体から後方に突出し、前記アーム部材の長さ方向にスライド自在に係合しつつ前記アーム部材と連結する連結部材とを含む構成であるから、供花配置部の支柱部への取り付け及び取外しを容易に行うことができるので、その組立が容易で更に取扱い易い葬儀用スタンドを提供できる。
【００２２】
また、前記支持枠体は矩形状からなり、その枠辺のうちの一辺を前記支柱部に対向する対向枠辺とするとともに、前記対向枠辺の中央部から前記連結部材を突出させる構成であるから、簡単な形状の部材で支持枠体を形成できるため、葬儀用スタンドのコスト低減を図ることができる。
【００２３】
また、前記供花配置部に着脱自在に連結され、供花を配置させるサブ供花配置部を備え、前記供花配置部は、筒状の部材であり、前記対向枠辺に直交する枠辺のうち一方又は両方に並列配置されつつ前記枠辺に連結される筒状部材を含み、前記サブ供花配置部は、前記筒状部材にスライド自在に係合しつつ前記筒状部材に着脱自在に連結するスライド部材と、前記スライド部材と一体に形成されて上方に延伸し、上端に箱体を支持する略Ｌ字状又は直線状のロッド部材とを含み、前記スライド部材を前記筒状部材に連結させた状態で、前記箱体は前記額縁体支持部の側方近傍に配置される構成であるから、例えば供花配置部に配置される供花に加えて額縁体の回りに供花を増やして豪華にしたい場合等の必要に応じて、ロッド部材に支持された箱体に、供花を盛り付けた鉢等を配置すればよいので、床面に占める配置面積を広げることなく供花を増やすことができる。
【図面の簡単な説明】
【００２４】
【図１】本考案の実施形態に係る葬儀用スタンドの斜視図である。
【図２】本考案の実施形態に係る葬儀用スタンドの分解斜視図である。
【図３】本考案の実施形態に係る葬儀用スタンドの正面図である。
【図４】本考案の実施形態に係る葬儀用スタンドの右側面図である。
【図５】図４に示した葬儀用スタンドの上側部分の拡大図である。
【図６】図３における一部を省略したＡ−Ａ線断面図である。
【図７】図３における一部を省略したＢ−Ｂ線断面図である。
【図８】図３における一部を省略したＣ−Ｃ線断面図である。
【図９】本考案の実施形態に係る葬儀用スタンドの使用例を示す正面図である。
【考案を実施するための形態】
【００２５】
以下、本考案の実施形態に係る葬儀用スタンド１０について図を用いて説明する。
本実施形態の葬儀用スタンド１０は、図９に示すように、葬儀の際に棺の背後に配置され、棺の上方空間を利用して、額縁体１０４、供花１０２及び葬儀用掛軸１０６を配置できるものである。なお、本実施形態において額縁体１０４は、写真用額縁を指すが、故人の写真やメッセージ紙等を掲示できる任意の額縁としてもよい。
【００２６】
本実施形態の葬儀用スタンド１０は、図１に示すように、床面Ｌに載置されるベースフレーム１２、ベースフレーム１２に支持されて立設する支柱部３０、額縁体１０４を支持する額縁体支持部２０、供花１０２を配置させる供花配置部６０、供花配置部６０を支柱部３０に着脱自在に連結させる着脱連結部７０及びサブ供花配置部９０，９０´を備え、例えばアルミニウム等の軽量の金属で形成される。
【００２７】
先ず、ベースフレーム１２は、図２に示すように、フレーム部材１３と、横架部材１４と、上方突出部材１５とを備える。
フレーム部材１３は、図２に示すように、例えば断面が円形状の筒部材からなり、人の腰幅よりやや大きい直径を有する平面視リング状に形成される。
【００２８】
次に、横架部材１４は、図２に示すように、フレーム部材１３の略直径の長さを有する棒状で断面矩形状の筒部材からなり、フレーム部材１３の内側に橋渡し状に配置され、例えば溶接によって固定される。
【００２９】
次に、上方突出部材１５は、例えば断面矩形状で、フレーム部材１３の略半径の長さを有する筒部材からなり、図２に示すように、横架部材１４の中央部から立設され、その下端が例えば溶着されて横架部材１４に固定される。
ベースフレームは、本実施形態のものに限らず、例えばフレーム部材を平面視Ｈ字上或いは平面視矩形状に形成し、その中央部から上方突出部材１５を突出させてもよい。
【００３０】
次に、本実施形態の支柱部３０は、図１〜図４に示すように、第１支柱部材３２、第２支柱部材３４、第１支柱部材３２と第２支柱部材３４とを固定させる固定部材３７及びフック部材３６を備える。
第１支柱部材３２は、図１〜図４及び図７に示すように、例えば略人の背丈の長さを有する長尺状で、両端が開口した断面矩形状の筒部材からなり、上方突出部材１５を嵌合させる中空部１６を有する。そして、第１支柱部材３２は、図１及び図２に示すように、上方突出部材１５を中空部１６に下端３３から嵌合させつつ上方突出部材１５と着脱自在に連結し、ベースフレーム１２に支持されて立設する。
【００３１】
また、第１支柱部材３２は、図１、図２及び図４に示すように、第１支柱部材３２と上方突出部材１５とを固定する固定手段３８を、その下端３３近傍に設ける。
具体的には、固定手段３８は、図４に示すように、第１雄ネジ部材３９と、これに螺合する雌螺子部材であって第１支柱部材３２の背面に設けられる第１雌螺子部材４１とを含む。より詳しくは、第１雌螺子部材４１は、その螺子孔が第１支柱部材３２の中空部１６に連通して設けられ、第１雄ネジ部材３９が前記螺子孔に螺合回転しつつ第１支柱部材３２の中空部１６に侵入し、第１雄ネジ部材３９の先端（図示しない）が上方突出部材１５の側面を水平方向に押圧することで第１支柱部材３２と上方突出部材１５とが固定される構成となっている。
【００３２】
次に、第２支柱部材３４は、図１〜図４に示すように、例えば第１支柱部材３２よりやや短い長さを有する長尺状で、第１支柱部材３２の中空部１６に遊挿可能な断面矩形状の筒部材からなる。そして、第２支柱部材３４は、図４に示すように、第１支柱部材３２の上端１７からその中空部１６に遊挿され、第１支柱部材３２にスライド自在に係合して支柱部３０の全長長さＴを縦方向に伸縮させるのである。
【００３３】
次に、固定部材３７は、図５に示すように、第２雄ネジ部材４３と、これに螺合する雌螺子部材であって第１支柱部材３２の上端近傍の背面に設けられる第２雌螺子部材４２とを含む。
ここで図５は、本実施形態の葬儀用スタンド１０において、額縁体支持部２０より上方部分を示す右側面図であり、図５（ａ）は、例えば保管の際のフレーム体２２の状態例を示し、図５（ｂ）は、使用時におけるフレーム体２２の状態例を示す。
具体的には、第２雌螺子部材４２は、その螺子孔が第１支柱部材３２の中空部１６に連通して設けられ、第２雄ネジ部材４３が前記螺子孔に螺合回転しつつ第１支柱部材３２の中空部１６に侵入し、第２雄ネジ部材４３の先端（図示しない）で第２支柱部材３４の側面を水平方向に押圧することで第１支柱部材３２と第２支柱部材３４との任意の伸縮係合位置で第１支柱部材３２と第２支柱部材３４とを固定させる構成となっている。
【００３４】
次に、フック部材３６は、図１及び図５に示すように、略レ字状の鈎部材からなり、第２支柱部材３４の上端寄り前面に設けられて葬儀用掛軸１０６の掛紐１０９を係止する。
このように、本実施形態の支柱部３０は、下端３３側がベースフレーム１２に着脱自在に連結し、ベースフレーム１２に支持されて立設する構成となっているのである。
なお、支柱部は、本実施形態のように第１支柱部材３２に第２支柱部材３４をスライド係合させるものに限らず、例えば所定の長さを有する一本の長尺状の筒部材で形成され、下端部に固定手段３８を備え、上端部にフック部材３６を備える構成であってもよい。
また、第１支柱部材及び第２支柱部材は、本実施形態の断面矩形状に限らず、断面円形状であってもよい。
【００３５】
次に、額縁体支持部２０は、図１及び図４に示すように、フレーム体２２、フレーム体支持部２５及び下端支持部２８を含む。
フレーム体２２は、図１〜図５に示すように、縦板部材２３、上側横板部材２１及び下側横板部材２４からなる。縦板部材２３は、図３及び図５に示すように、例えば額縁体１０４の縦辺よりやや長い長辺を有する短冊状の平板部材からなる。そして、縦板部材２３は、図３及び図５に示すように、長手方向を上下方向に向けた状態で第１支柱部材３２の上端寄りの前方に配置される。
【００３６】
次に、上側横板部材２１は、図１〜図５に示すように、例えば額縁体１０４の横辺よりやや短い長辺を有する短冊状の平板部材からなる。そして、上側横板部材２１は、長手方向を水平にし、その板面を縦板部材２３の板面と平行にした状態でその中央部が縦板部材２３の上端部に例えば溶接によって固定される。
【００３７】
また、下側横板部材２４は、図１〜図５に示すように、例えば額縁体１０４の略横辺程度の長辺を有する短冊状の平板部材からなる。そして、下側横板部材２４は、長手方向を水平にし、その板面を縦板部材２３の板面と平行にした状態でその中央部が縦板部材２３の下端部に例えば溶接によって固定される。
このように、本実施形態のフレーム体２２は、図３に示すように、正面視で略工字状に形成されるのである。
なお、フレーム体は、本実施形態の略工字状に限らず、例えば略矩形状であってもよい。
【００３８】
次に、本実施形態のフレーム体支持部２５について図１及び図７を用いて説明する。
ここで図７（ａ）は、図５（ａ）に対応し、図７（ｂ）は、図５（ｂ）にそれぞれ対応する。
フレーム体支持部２５は、図１に示すように、フレーム体２２の下端部を支持する第１支持部４６及びフレーム体２２の上端部を支持する第２支持部４４を備える。
先ず、第１支持部４６は、図６に示すように、第１筒体４７、第１筒体固定部材４８、第１リンクアーム５２、第１軸支部材５１及び第２軸支部材５３を含む。
【００３９】
第１筒体４７は、図６、図７に示すように、例えば上述した横架部材１４の略１０分の１の長さで、断面矩形状の筒部材で形成され、その中空部に第１支柱部材３２を遊挿させつつ第１支柱部材３２に沿ってスライド自在に係合する。
次に、第１筒体固定部材４８は、図６、図７に示すように、第３雄ネジ部材４９と、これに螺合する雌螺子であって第１筒体４７の背面に穿設される第３雌螺子５０とを含む。具体的には、第３雌螺子５０は、その螺子孔が第１筒体４７の中空部に連通して設けられ、第３雄ネジ部材４９が前記螺子孔に螺合回転しつつ第１筒体４７の中空部に侵入し、図７に示すように、第３雄ネジ部材４９の先端で第１支柱部材３２の側面を水平方向に押圧することで第１支柱部材３２と第１筒体４７との任意のスライド位置で第１筒体４７を第１支柱部材３２に固定させる。
【００４０】
第１リンクアーム５２は、図６、図７に示すように、例えば上述した縦板部材２３の略３分の１の長さを有し、断面矩形状の筒部材で形成される。そして、第１リンクアーム５２は、図６、図７に示すように、第１筒体４７とフレーム体２２の下端部５６とを連結する。より詳しくは、第１リンクアーム５２は、図６、図７に示すように、基端部５４が第１筒体４７に設けられた第１軸支部材５１（後述）で軸支されて前後方向に回動自在に第１筒体４７に連結するとともに、先端部５５が上述したフレーム体２２の下端部５６に設けられた第２軸支部材５３（後述）で軸示されて前後方向に回動自在に下端部５６に連結する。
【００４１】
次に、第１軸支部材５１は、図６、図７に示すように、例えば第１支柱部材３２の略幅の長さを有する丸棒状の軸部材であって下側横板部材２４に平行に配置される第１軸部材５８と、第１軸部材５８を挟持するコ字状の第１挟持部材５９からなり、第１筒体４７の前面に設けられる。そして、第１軸支部材５１は、図６、図７に示すように、第１軸部材５８で第１リンクアーム５２の基端部５４を貫通し、第１リンクアーム５２を前後方向に回動自在に軸支する。
【００４２】
次に、第２軸支部材５３は、図６、図７に示すように、例えば第１軸部材５８と同形・同サイズの丸棒状の軸部材であって下側横板部材２４に平行に配置される第２軸部材６１と、第２軸部材６１を挟持するコ字状の第２挟持部材６２からなり、縦板部材２３の下端背面に設けられる。そして、第２軸支部材５３は、図６及び図７に示すように、第２軸部材６１で第１リンクアーム５２の先端部５５を貫通し、第１リンクアーム５２を前後方向に回動自在に軸支する。
【００４３】
次に、第２支持部４４は、図６及び図８に示すように、第２筒体５７、第２筒体固定部材４５、第２リンクアーム６３、第３軸支部材６４を含む。
第２筒体５７は、図６、図８に示すように、例えば第１筒体４７と同形・同サイズの筒部材で形成され、その中空部に第１支柱部材３２を嵌合させつつ第１支柱部材３２に沿ってスライド自在に係合する。そして、第２筒体５７は、図６に示すように、第１筒体４７の上方に配置される。
【００４４】
次に、第２筒体固定部材４５は、図６、図８に示すように、第４雄ネジ部材６７と、これに螺合する雌螺子であって第２筒体５７の背面に穿設される第４雌螺子６８を含む。そして、第１筒体固定部材４８において説明したと同様に、第４雄ネジ部材６７の先端で第１支柱部材３２の側面を押圧することで第１支柱部材３２と第２筒体５７との任意のスライド位置で第２筒体５７を第１支柱部材３２に固定させる。
【００４５】
次に、第２リンクアーム６３は、図６、図８に示すように、断面矩形状で、例えば上述した第１リンクアーム５２の略１０分の１の長さを有する断面矩形状の筒部材で形成される。そして、第２リンクアーム６３は、図６、図８に示すように、第２筒体５７とフレーム体２２の上端部６９とを連結する。より詳しくは、第２リンクアーム６３は、図８に示すように、一端部７２が第２筒体５７に設けられた第３軸支部材６４（後述）で軸支されて前後方向に回動自在に第２筒体５７に連結するとともに、他端部７３が上述したフレーム体２２の上端部６９に例えば溶接等で固定されて連結する。
【００４６】
次に、第３軸支部材６４は、図６、図８に示すように、第１軸部材５８と同形・同サイズの丸棒状の軸部材であって、上側横板部材２１に平行に配置される第３軸部材６６と、第３軸部材６６を挟持するコ字状の第３挟持部材６５からなり、第２筒体５７の前面に設けられる。そして、第３軸支部材６４は、図８に示すように、第３軸部材６６で第２リンクアーム６３の一端部７２を貫通し、第２リンクアーム６３を前後方向に回動自在に軸支する。
【００４７】
このように本実施形態のフレーム体支持部２５は、フレーム体２２を支柱部としての第１支柱部材３２に連結させつつ支持する構成となっている。
さらに本実施形態のフレーム体支持部２５は、図５、図８に示すように、例えば上述した固定部材３７のやや下方位置に第２筒体５７を固定し、第１筒体４７を第１支柱部材３２に沿ってスライドさせることにより第１リンクアーム５２及び第２リンクアーム６３が回動してフレーム体２２の支柱部３０に対する傾斜角度を調整することができる。
【００４８】
フレーム体支持部は、本実施形態の構成に限るものではなく、例えば第１支柱部材３２の所定高さに固設されて前方に突出する棒状のアーム部材で形成されてもよい。そして、フレーム体２２を前後方向に所定角度で傾斜させた状態で縦板部材２３の中央部に前記アーム部材の先端を溶接等で連結し、前記アーム部材でフレーム体２２を支持する構成であってもよい。
【００４９】
次に、下端支持部２８は、図５、図７に示すように、前方突出部材７６，７６´、筒状保持部材７８，７８´及び前方突出部材７６，７６´と筒状保持部材７８，７８´とを固定する固定手段７９，７９´を備える。    
前方突出部材７６，７６´は、図５及び図７に示すように、例えば下側横板部材２４の略半分の長さの長辺と下側横板部材２４の長さの略１０分の１程度の幅を有する短冊状板部材の前端を上方に折曲し、側面視略Ｌ字状（図５参照）に形成された板部材からなる。
【００５０】
次に、筒状保持部材７８，７８´は、図５及び図７に示すように、例えば前方突出部材７６，７６´の長辺の略３分の１程度の長さを有し、断面矩形状で両端が開孔した筒部材で形成される。この筒状保持部材７８，７８´は、図５に示すように、下側横板部材２４の両端の背面側にそれぞれ溶接等で固定されるが、その際、図５及び図７に示すように、その中空部８１，８１´が下側横板部材２４の下方に位置する高さに固定される。そして、筒状保持部材７８，７８´は、中空部８１，８１´に前方突出部材７６，７６´を挿入させつつ筒方向Ｆにスライド自在に前方突出部材７６，７６´をそれぞれ保持する。したがって、下端支持部２８は、図５及び図７に示すように、フレーム体２２の下端から前方に突出する前方突出部材７６，７６´を有する構成となっているのである。
【００５１】
次に、固定手段７９，７９´は、図５に示すように、第５雄ネジ部材８２，８２´と、第５雄ネジ部材８２，８２´に螺合する雌螺子であって、筒状保持部材７８，７８´の上面に開孔する第５雌螺子８３，８３´を含む。具体的には、第５雌螺子８３，８３´は、その螺子孔が筒状保持部材７８，７８´の中空部に連通して設けられ、第５雄ネジ部材８２，８２´が前記螺子孔に螺合回転しつつ筒状保持部材７８，７８´の中空部に侵入し、第５雄ネジ部材８２，８２´の先端（図示しない）で前方突出部材７６，７６´の上面を下方に押圧することで前方突出部材７６，７６´と筒状保持部材７８，７８´との任意のスライド位置で前方突出部材７６，７６´を筒状保持部材７８，７８´に固定させる。
【００５２】
以上のように構成される額縁体支持部２０は、図５（ｂ）及び図９に示すように、前方突出部材７６，７６´上に額縁体１０４を載置することで、フレーム体２２が額縁体１０４を背後から支持し、前方突出部材７６，７６´が額縁体１０４の下端を支持する。
【００５３】
次に、供花配置部６０は、図１〜図４に示すように、矩形状の支持枠体８５及び筒状部材９６，９６´を含む。
支持枠体８５は、図１、図２に示すように、例えば断面矩形状の筒部材で形成され、フレーム部材１３の直径の概ね２倍の長さの長辺と、フレーム部材１３の概ね半径程度の短辺を有する矩形状の枠部材からなる。そして、支持枠体８５は、図１〜図４に示すように、その枠面を略水平にした状態で支柱部としての第１支柱部材３２の前方に配置される。より詳しくは、図１及び図２に示すように、その枠辺のうちの一辺である一つの長辺を第１支柱部材３２に対向する対向枠辺８６とするとともに、対向枠辺８６の中央部から後述する連結部材８７を後方に突出させる。
【００５４】
なお、本実施形態の支持枠体８５は、図１及び図２に示すように、その矩形状の枠内を更に２等分する棒状の分割部材８８を備える。分割部材８８は、支持枠体８５の長辺の中央部間に橋渡し状に配置される棒状の筒部材からなり、その両端部はそれぞれ支持枠体８５のそれぞれの長辺に溶接等で固定される。このように分割部材８８を設けることで、本実施形態の支持枠体８５には、図１及び図２に示すように、分割部材８８を中心として左側の左枠８９及び右側の右枠８９´が形成される。そして、図１に示すように、左枠８９及び右枠８９´は、供花が盛られた箱状の容器体９１，９１´を嵌合状にそれぞれ支持する。
また、支持枠体は、本実施形態の矩形状に限るものではなく、供花が盛られた鉢、箱等の容器体の形状に応じて、例えばリング状、楕円状に形成されてもよい。
【００５５】
次に、筒状部材９６，９６´は、図２に示すように、支持枠体８５の対向枠辺８６に直交する枠辺１１０，１１０´と略同じ形状・サイズの筒状部材からなる。そして、筒状部材９６，９６´は、図２に示すように、対向枠辺８６に直交する両方の枠辺１１０，１１０´に並列配置されつつ枠辺１１０，１１０´に、例えば溶接等によってそれぞれ連結される。この筒状部材９６，９６´は、後述するサブ供花配置部９０，９０´を供花配置部６０に連結させるための連結手段であり、この点については後述する。
なお、本実施形態の葬儀用スタンド１０は、筒状部材９６，９６´を両方の枠辺１１０，１１０´に連結させるが、いずれか一方の枠辺１１０，１１０´にのみ連結させてもよい。
【００５６】
次に、着脱連結部７０は、図２及び図４に示すように、アーム部材９２、連結部材８７及びアーム部材９２と連結部材８７とを固定する固定手段９３を含む。
アーム部材９２は、図２に示すように、例えば断面矩形状で、第１リンクアーム５２と概ね同形・同サイズの筒部材で形成され、支柱部３０、具体的には第１支柱部材３２の長手方向の中途から前方に突出する。より詳しくは、図２に示すように、額縁体支持部２０の下方であって、載置される棺の高さよりやや上方位置に、例えば溶接等で固定される。
【００５７】
次に、連結部材８７は、図２に示すように、例えば断面矩形状で、アーム部材９２よりやや長い長さを有する棒状の筒部材で形成される。そして、連結部材８７は、支持枠体８５から、具体的には支持枠体８５の対向枠辺８６の中央部から後方に突出するとともにその中空部にアーム部材９２を挿入させつつスライド自在に係合する。
【００５８】
次に、固定手段９３は、雄ネジ部材９４と、雄ネジ部材９４に螺合する雌螺子部材であって、連結部材８７の底部に設けられる雌螺子部材９５を含む。
そして、上述した固定部材３７と同様にして、雄ネジ部材９４が雌螺子部材９５の螺子孔に螺合回転しつつその先端でアーム部材９２を上方に押圧することでこれらを固定する。
このように、着脱連結部７０は、供花配置部６０を支柱部３０に着脱自在に連結させる構成となっており、また、供花配置部６０は、額縁体支持部２０の下方に配置されて支柱部３０に着脱自在に連結し、供花を配置させる構成となっているのである。
【００５９】
次に、サブ供花配置部９０，９０´は、図２に示すように、スライド部材９７，９７´、ロッド部材９８，９８´及び上述した筒状部材９６，９６´にスライド部材９７，９７´を固定する固定手段９９，９９´を含む。
【００６０】
スライド部材９７，９７´は、図２に示すように、筒状部材９６，９６´の中空部に挿入可能な断面矩形状で、筒状部材９６，９６´よりやや短い長さを有する筒状部材で形成される。そして、スライド部材９７，９７´は、図２に示すように、筒状部材９６，９６´にそれぞれスライド自在に係合しつつ筒状部材９６，９６´に着脱自在に連結する。
【００６１】
次に、ロッド部材９８，９８´は、図２及び図３に示すように、下端部が湾曲して全体が略Ｌ字状に形成される丸棒部材からなり、その下端がスライド部材９７，９７´の後端に例えば溶接等で固定される。このように、ロッド部材９８，９８´は、スライド部材９７，９７´と一体に形成されて、上方に延伸する構成となっている。そして、ロッド部材９８，９８´は、図２及び図３に示すように、その上端に箱体１１２，１１２´を溶接等でそれぞれ固定され、箱体１１２，１１２´を支持する。
【００６２】
次に、固定手段９９，９９´は、雄ネジ部材１００，１００´と、雄ネジ部材１００，１００´に螺合する雌螺子部材であって、筒状部材９６，９６´の底部に設けられる雌螺子部材１０１，１０１´とを含む。そして、上述した固定部材３７と同様にして、雄ネジ部材１００，１００´が雌螺子部材１０１，１０１´の螺子孔に螺合回転しつつその先端でスライド部材９７，９７´を上方に押圧することでこれらを固定する。
【００６３】
このように支持される箱体１１２，１１２´は、図３示すように、スライド部材９７，９７´を筒状部材９６，９６´に連結させた状態で、額縁体支持部２０の側方近傍に配置される。したがって、図９に示すように、箱体１１２，１１２´に供花を配置すれば、例えば故人の写真の周りに供花を増やして豪華な見栄えとすることができる。
【００６４】
次に、本実施形態の葬儀用スタンド１０の使用例について、図を用いて説明する。
まず、図２に示すように、例えば支柱部３０、ベースフレーム１２、供花配置部６０、ロッド部材９８，９８´に分解すると、運搬の際に取扱い易くなるとともに、収納スペースも少なくて済む。さらに、図５（ａ）に示すように、例えば第２筒体５７を所定の位置に固定し、第１筒体４７を下方にスライドさせてフレーム体２２を支柱部３０に略平行にした状態で第１筒体４７を固定すれば、フレーム体２２が前方に出っ張らないので、運搬時の取扱いが更にし易くなる。加えて、図５（ａ）に示すように、前方突出部材７６，７６´を後方にスライドさせて固定すれば、前方突出部材７６，７６´が前方に出っ張らないので、運搬時等の取扱いを更にやり易くなる。
【００６５】
次に、例えば葬儀の現場では、図２に示すように、第１支柱部材３２の下端３３側を上方突出部材１５に連結し、固定手段３８で第１支柱部材３２と上方突出部材１５を固定してベースフレーム１２と第１支柱部材３２とを連結する。次に、図２に示すように、着脱連結部７０を介して供花配置部６０を第１支柱部材３２に連結固定する。次に、図２に示すように、サブ供花配置部９０，９０´を供花配置部６０に連結する。次に、図５（ｂ）に示すように、第１筒体４７を上方にスライドさせてフレーム体２２を傾斜させる。次に、図５（ｂ）に示すように、前方突出部材７６，７６´を前方にスライドさせて前方突出部材７６，７６´を前方に突出させる。
【００６６】
次に、図５（ｂ）に示すように、第２支柱部材３４を上方にスライドさせて全長長さＴを調整し固定部材３７で第２支柱部材３４と第１支柱部材３２とを固定する。次に、図９に示すように、葬儀用掛軸１０６をフック部材３６に吊支する。次に、図９に示すように、額縁体支持部２０に故人の写真等が掲示された額縁体１０４を配置し、供花配置部６０に供花１０２を配置し、サブ供花配置部９０，９０´に供花１０８，１０８´を配置する。そして、図９に示すように、棺をベースフレーム１２と供花配置部６０との間に配置する。
このように、葬儀用スタンド１０によれば、棺の上方空間を活用して故人の写真及び供花を配置できるので、写真や葬儀用の供花等の配置のためには少なくともベースフレーム１２を載置可能な床面積を確保すれば済むことから、故人の写真や葬儀用の供花等の配置のために必要な床面積を小さくできる。
【００６７】
これまで説明してきた様に、本実施形態の葬儀用スタンド１０によれば、故人の写真や葬儀用の供花等の配置のために必要となる床面積を小さくできるとともに、取扱い易い葬儀用スタンドを提供できる。
【００６８】
以上、本考案の実施形態のうちいくつかを図面に基づいて詳細に説明したが、これらはあくまでも例示であり、当業者の知識に基づいて種々の変形、改良を施した他の形態で本考案を実施することが可能である。
【符号の説明】
【００６９】
１０  葬儀用スタンド
１２  ベースフレーム
２０  額縁体支持部
２２  フレーム体
２５  フレーム体支持部
２８  下端支持部
３０  支柱部
３２  第１支柱部材
３４  第２支柱部材
３６  フック部材
３７  固定部材
４４  第２支持部
４５  第２筒体固定部材
４６  第１支持部
４７  第１筒体
４８  第１筒体固定部材
５１  第１軸支部材
５２  第１リンクアーム
５３  第２軸支部材
５７  第２筒体
６０  供花配置部
６３  第２リンクアーム
６４  第３軸支部材
７０  着脱連結部
７６，７６´  前方突出部材
７８，７８´  筒状保持部材
８５  支持枠体
８６  対向枠辺
８７  連結部材
９０，９０´  サブ供花配置部
９１，９１´  容器体
９２  アーム部材
９６，９６´  筒状部材
９７，９７´  スライド部材
９８，９８´  ロッド部材
１０２，１０８，１０８´  供花
１０４  額縁体
１０９  掛紐
１１０，１１０´  枠辺
１１２，１１２´  箱体
【図１】
0003173880.tif 000003
【図２】
0003173880.tif 000004
【図３】
0003173880.tif 000005
【図４】
0003173880.tif 000006
【図５】
0003173880.tif 000007
【図６】
0003173880.tif 000008
【図７】
0003173880.tif 000009
【図８】
0003173880.tif 000010
【図９】
0003173880.tif 000011